【手続補正書】
【提出日】平成16年10月18日(2004.10.18)
【手続補正１】
【補正対象書類名】特許請求の範囲
【補正対象項目名】請求項１
【補正方法】変更
【補正の内容】
【請求項１】
少なくとも、
−  支持層としての、すき入れを有する紙からなる基材を備えた第１のウェブ状の材料と
−  前面層としての、感熱記録層を備えた第２のウェブ状の材料とを有する積層物からなる感熱記録用紙において、
−  このすき入れは、本来のすき入れ（２′）又はエンボスによるすき入れ（２）として作成されていて、
−  この支持層の基材（１）は前記のすき入れ（２，２′）を前面層とは反対側に有し、
−  この前面層は、少なくとも１つの基材（３）及び発色剤及び色受容体を含有する感熱記録層（４）を有し、
−  この記録層（４）は基材（３）の支持層とは反対側に作成されていることを特徴とする、感熱記録用紙。
【手続補正２】
【補正対象書類名】明細書
【補正対象項目名】０００４
【補正方法】変更
【補正の内容】
【０００４】
冒頭に記載した種類の感熱記録材料は以前から公知である。例えばDE-U-93 02 105は、高光沢のもしくは極端に粗面性の小さい表面を備えた感熱記録装用のウェブ状の支持体材料を提案していて、この場合にこの支持体材料中に少なくとも１つのすき入れが作成されている。
WO-A-01/09435は、安全機構としてすき入れを有する感熱性記録紙が開示されていて、離れている先行技術である点では前記した文献と同じであるが、２枚の貼り合わせられたウェブからなり、そのうちの一方がすき入れを有する記録紙としての開示はなく、容易に推測できるものでもない。
EP-A-0642 928からは、感熱性の記録層とは反対側に認識層を有する感熱性記録材料が公知である。この認識層は呈色反応するために必要な反応成分の一方の成分を有する。所望の呈色反応は、呈色のために必要な第２の成分を含有する適当な液体の塗布により生じる。基材として紙を使用する場合にはすき入れも付加的な安全機構として開示されているが、この文献は離れている先行技術に関している、それというのも感熱性の記録紙の使用のための基材としてすき入れが設けられている張り合わされたウェブの使用の際の問題に関するそれぞれの示唆がないためである。
これらの３つの前記した提案には、本来のすき入れを有する基材ウェブを使用し、この基材ウェブ上に感熱性の記録層を塗布していることが共通している。
【手続補正３】
【補正対象書類名】明細書
【補正対象項目名】０００５
【補正方法】変更
【補正の内容】
【０００５】
しかしながら、多様な用途の場合には、前記の提案から、いわゆる熱転写プロセスの間にいわゆる「影の部分（Schattenbilder）」の発生による欠点が生じ、この場合に感熱記録層中のすき入れが描写されてしまい、意図する印字は損傷してしまう。このような影の部分は特に支持体材料中に作成したすき入れの結果生じる密度もしくは厚さの変動が原因であり、この支持体材料はこの平面上で感熱記録層の異なる感度を生じさせる。この公知の記録材料の他の欠点は、面積に対して比較的低い質量を有する材料に制限されることである。面積に対してより高い質量を有するウェブは、ウェブがこの公知の原則に従って製造される限り、抄紙機中で高い乾燥能力を必要とするか又は、これが提供されない場合には、比較的ゆっくりと進行する抄紙機を用いて生産する必要がある。しかしながら、ゆっくりと運転する抄紙機は経済的観点から欠点である。
【手続補正４】
【補正対象書類名】明細書
【補正対象項目名】０００７
【補正方法】変更
【補正の内容】
【０００７】
最後に、DE-C-37 69 999には、安全繊維、すき入れなどの安全機構を導入した二層の安全紙の製造方法が開示されていて、この場合に円網抄紙機上で２つの層が形成されその間に安全繊維を導入し、場合により付加的に孔又はすき入れを導入し、この場合に、紙片製造の間に又はその直後にエアジェット又はウォータージェットを用いてこの紙を、孔又はすき入れが形成されるまでに局部的な繊維脱水が達成されるように処理する。引き続き、合わせたこの紙層を一緒にクーチし、乾燥する。この文献は感熱記録層を開示していないため、影の部分の問題を言及していない。
多数の基材層を有する積層物ではなく、ベース基材上に複数の被覆層を備えた剥離紙が、JP-A-06 328 839の対象である。ここになされた提案はベース基材上に、一連の、低温で印刷画像を現像するための感熱被覆Ａ、高い不透明度を有するカバー被覆Ｂ、脱色層Ｃ及び低温で印刷画像を現像するための感熱被覆Ｄが設置されている。証券用紙としては、この紙が低温での感熱印刷時にもっぱら印刷画像の現像は被覆Ｄにおいて可能であるにすぎないことが開示されている。この場合に、被覆Ａに到達しかつここで印刷画像の現像を生じさせる印刷エネルギーは不十分である。高温での感熱印刷プロセスの場合には、一方で被覆Ａ中での印刷画像の現像が生じる。この高温でいわば活性化された脱色層Ｃは被覆Ｄ中での印刷画像を阻止する。このカバー層Ｂは被覆Ａの印刷画像が被覆Ｃ及びＤを透過して見ないようにする。
このような剥離紙のための適用としては、例えば低温を利用しながら被覆層Ｄに銀行顧客に関する書き込みを行い、この書き込みのテキストは自由に判読可能であることが開示されている。重要な、秘密の情報、例えば口座パスワードは、高温を利用して被覆Ａにだけ現像させ、被覆Ｄには記入しない。書き込まれた顧客のための情報を利用可能にするためには、両方の剥離層を相互に分離しなければならず、この場合に第１の層は被覆Ａを備えたベース基材からなり、第２の層は被覆Ｂ、Ｃ及びＤからなる。他の安全機構として一般的な示唆の範囲内で、ベース基材中に導入されたすき入れが開示されている。このすき入れに対しては既に検討した影の部分の欠点が該当するため、この文献からも本発明の根底をなす課題を解決するような示唆を推知することはできない。
WO93/08992 A1からは、既に積層物として構成された認証チケットが公知であり、これは紙材料からなる支持層と、前記の支持層上に張り合わされた感熱記録紙とからなる。この感熱記録紙は前面層を形成しかつ充分な透過性を有するべきであり、従って支持層上に設置された認証模様又はすき入れは認識可能である。有利な実施態様によると、支持層上に配置された安全機構は機械により読み込み可能なバーコードの形のすき入れである。支持層上に設置された情報は透明又は半透明な前面層を通して機械により読み込み可能であるのが有利であり、この場合に、支持層中へ導入されたすき入れ又は支持層上に印刷された認証コードは同等のものとして通用する。つまりWO93/08992 A1の本質的な教示は、支持層上に設置された情報を、前面層を通して認識できるだけでなく、機械により読み込み可能なバーコードを判読できる程度に透過性である前面層を使用することであることが明らかである。
【手続補正５】
【補正対象書類名】明細書
【補正対象項目名】０００８
【補正方法】変更
【補正の内容】
【０００８】
新規の感熱記録用紙は上記の欠点を克服すべきである。
【特許文献１】EP-A-0 844 097
【特許文献２】DE-U-93 02 105
【特許文献３】EP-A-0 156 61
【特許文献４】DE-C-37 69 999
【特許文献５】WO-A-01/09435
【特許文献６】EP-A-0642 928
【特許文献７】JP-A-06 328 839
【特許文献８】WO93/08992 A1
【手続補正６】
【補正対象書類名】明細書
【補正対象項目名】００１１
【補正方法】変更
【補正の内容】
【００１１】
発明者の功労は、上記の要求を満たす感熱記録用紙を見出したことであり、この感熱記録用紙は積層物からなり、かつこの積層物は、すき入れを有する紙からなる基材を備えた、支持層としての第１のウェブ状の材料と、感熱記録層を備えた、前面層としての第２のウェブ状の材料とを有し、その際、
−  このすき入れは本来のすき入れ（２′）又はエンボスによるすき入れ（２）として作成されていて、
−  この支持層の基材（１）は前記のすき入れ（２，２′）を前面層とは反対側に有し、
−  この前面層は、少なくとも１つの基材（３）及び発色剤及び色受容体を含有する感熱記録層（４）を有し、
−  この記録層（４）は基材（３）の支持層とは反対側に作成されている。
この結果は、発明者にとっても意外であった、それというのも、今までの先行技術において、前記の課題の解決策を積層物の形で追求できるという示唆がなかったためである。
【手続補正７】
【補正対象書類名】明細書
【補正対象項目名】００１２
【補正方法】変更
【補正の内容】
【００１２】
例えば抄紙機中の金網部分でダンディーロールを使用して、繊維材料を薄くする（いわゆる凹すき入れ）か又は繊維材料を厚くする（いわゆる凸すき入れ）ことにより、新規の感熱記録用紙に対して本来のすき入れを作成することは、抄紙機のプレス部分で湿ったままの紙をエンボス加工することにより作成される擬性のいわゆるモルトン−すき入れと同様に有利な実施態様である。本来のすき入れはモルトン−すき入れよりも偽造が困難であるため、特に明確な認証証明が望ましい場合に、本来のすき入れを備えた実施態様の形で本発明による記録用紙に提供される。
【手続補正８】
【補正対象書類名】明細書
【補正対象項目名】００１７
【補正方法】変更
【補正の内容】
【００１７】
第１のウェブ状材料の基材として使用された紙は上質紙が有利である。この紙は市販の、有利にサイズされかつコーティングを有していない、有利に５０〜２００ｇ／ｍ２の範囲内の面積あたりの質量を示す、かつ透過光ですき入れを観察する場合には特に５５〜１００ｇ／ｍの印刷紙として作成されている。それに対してすき入れを照明光又は入射光で観察するのが有利な場合には、１００ｇ／ｍ２を上回る面積あたりの質量を選択することができる。第２のウェブ状材料とは反対側に１つ又は複数の被覆又は調製物を設けることができる。
Lt. Handbuch der Papier- und Pappenfabrikation (1971)は、積層物として、２層又は多層に紙、金属箔又はプラスチックシートを貼り合わせてなる積層品を記載している。
【手続補正９】
【補正対象書類名】明細書
【補正対象項目名】００２２
【補正方法】変更
【補正の内容】
【００２２】
消印適性を調整するための他の態様の場合には、新規の感熱記録用紙の記録層が保護層で被覆され、その際、
・  この保護層の顔料は１種又は数種の無機顔料からなり、少なくとも８０質量％が高純度のアルカリ性に調整されたベントナイトから形成されていて、
・  保護層の結合剤は１種又は数種の非水溶性の自己架橋性アクリルポリマーからなり、
・  保護層中の結合剤／顔料比は７：１〜１０：１の範囲内にあり、及び
・  保護層中の架橋剤／結合剤比は１：５より大きく、有利に１：５〜１：７の間にある。